(57)【特許請求の範囲】
【請求項１】
ペン入力部を備えた機器本体と、この機器本体に設けられ、前記ペン入力部に情報を入力するタッチペンを着脱可能に収納するペン収納部と、を備えた電子機器であって、
前記ペン収納部は、
前記タッチペンを収納する収納空間部と、
前記タッチペンを前記収納空間部に出し入れする開口と、
前記収納空間部に収納された前記タッチペンの一端部を受ける受け部と、
前記収納空間部に前記タッチペンを収納した時に、前記タッチペンを着脱可能に押えるとともに、前記タッチペンを前記収納空間部に保持する位置と、前記開口を介して前記収納空間部の外方へ傾く位置との間で回動可能に支持する係合支点部と、
前記受け部と前記係合支点部との間に設けられ、前記タッチペンが前記収納空間部の外方へ傾く方向へ回動する際に、前記タッチペンの一端部が入り込む空間部と、を具備したことを特徴とする電子機器。
【請求項２】
請求項１の記載において、前記係合支点部は、前記タッチペンを弾性力で挟む弾性部材と、前記弾性部材に形成され、前記タッチペンに係脱可能に係合する係合支点部材とを有することを特徴とする電子機器。
【請求項３】
請求項１の記載において、前記受け部は、前記タッチペンの先端部を囲むとともに、前記タッチペンのペン先が挿入される受け孔を有することを特徴とする電子機器。
【請求項４】
請求項１ないし請求項３のいずれかの記載において、前記収納空間部は、前記収納空間部に収納された前記タッチペンの他端部に着脱可能に係合する係合部材を有することを特徴とする電子機器。
【発明の詳細な説明】
【０００１】
【発明の属する技術分野】
本発明はペン入力式の電子機器に関する。
【０００２】
【従来の技術】
パーソナルコンピュータなどの電子機器においては入力装置として板状の入力装置を設け、この入力装置にタッチペンを接触させて情報を入力する方式を採用したものがある。通常、この入力方式の電子機器ではペン収納部を機器本体に設け、タッチペンを使用しない時にはペン収納部に収納保持し、タッチペンを使用する時にはペン収納部から取出すようにしている
従来、タッチペンを収納保持するペン収納部の構成として、実用新案登録第２５８１５１０号公報に開示されるものがある。このペン収納部は、タッチペンとペン収納部の夫々の長さ方向中間部における側部に互いに係合可能な凹凸をなす係合部を形成し、タッチペンの頭部とこれに対応するペン収納部の端部との間にタッチペンの押込み動作を可能とする空間部を形成するとともに、この空間部と長さ方向中間部との間にタッチペン頭部の押込み動作の際に係合部の係合が解除される方向にタッチペンを回動させる支点部を設けた構成をなすものである。
【０００３】
すなわち、タッチペンをペン収納部に入れてタッチペンとペン収納部の夫々の中間部に形成された係合部を係合させて保持する。タッチペンを取出す際には、タッチペンの頭部をペン収納部の空間部に押込むとともに、タッチペンを支点部を中心として回動させて係合部の互いの係合を解除させて、タッチペンをペン収納部から浮上らせる。
【０００４】
【発明が解決しようとする課題】
このペン収納部の構成では、係合部と支点部が夫々個別にペン収納部およびタッチペンの長さ方向に離れて設けられている。係合部はタッチペンをペン収納部に保持するためのものであり、支点部はタッチペンを係合部との係合を解除してペン収納部から浮上がらせるように回動させるためのものである。このため、係合部と支点部とは互いに相反する機能を有している。
【０００５】
すなわち、タッチペンの頭部をペン収納部の空間部に押込むと、タッチペンが支点部を中心としてペン収納部から浮上る向き（収納部の外方への向き）へ回動する動作と、タッチペンの係合部が収納部の係合部から外れる動作が同時に行なわれる。ここで、タッチペンの係合部が収納部の係合部から外れることは、タッチペンがペン収納部に対して全く固定されていない自由な状態になることである。このため、操作者が指でタッチペンの頭部を押すと、その反動でタッチペンがペン収納部の外方へ向けて回動しながらペン収納部の外方へ飛び出してしまう。このため、タッチペンをペン収納部から取出す時の操作性が大変悪い。
【０００６】
本発明は、タッチペンをペン収納部から取り出す時に、タッチペンの飛び出しを防止することができ、操作性に優れた電子機器の提供を目的とする。
【０００７】
【課題を解決するための手段】
上記目的を達成するため、本発明の一つの形態に係る電子機器は、
ペン入力部を備えた機器本体と、この機器本体に設けられ、前記ペン入力部に情報を入力するタッチペンを着脱可能に収納するペン収納部とを具備している。
前記ペン収納部は、
前記タッチペンを収納する収納空間部と、
前記タッチペンを前記収納空間部に出し入れする開口と、
前記収納空間部に収納された前記タッチペンの一端部を受ける受け部と、
前記収納空間部に前記タッチペンを収納した時に、前記タッチペンを着脱可能に押えるとともに、前記タッチペンを前記収納空間部に保持する位置と、前記開口を介して前記収納空間部の外方へ傾く位置との間で回動可能に支持する係合支点部と、
前記受け部と前記係合支点部との間に設けられ、前記タッチペンが前記収納空間部の外方へ傾く方向へ回動する際に、前記タッチペンの一端部が入り込む空間部と、を備えていることを特徴としている。
【０００８】
【発明の実施の形態】
本発明の一実施の形態について図１ないし図９を参照して説明する。
【０００９】
この実施の形態はペン入力式を採用したノート型パーソナルコンピュータ（以下パソコンと称する。）において、デスプレイユニットにペン収納部を設ける構成に適用したものである。
【００１０】
図１はペン入力式を採用したパーソナルコンピュータの外観を示す斜視図である。図中１はパソコン本体で、このパソコン本体１にはキーボード２が設けられている。３は表示ユニットで、この表示ユニット３はパソコン本体１の後縁部に枢着され、パソコン本体１を覆う位置とパソコン本体１を開放する起立した位置との間を回動するように設けられている。
【００１１】
表示ユニット３は薄い四角形をなすケース４を備えている。ケース４は表示ユニット３がパソコン本体１を開放する起立した位置にある時に前面となる部分が開放されている。ケース４の開放された部分には、額縁形のマスク５が配置され、このマスク５は適宜な手段によりケース４に取り付けられている。ケース４の内部には、液晶パネル６とタブレット７が互いに重ねて設けられている。ケース４およびマスク５は、機器本体を構成している。
【００１２】
タブレット７は板状をなす入力装置の一例のもので、タッチペン１１を接触させて入力を行うものである。タブレット７はケース４の開放部に直接面する位置に配置され、外部からタッチペン１１を接触できるようになっている。額縁形をなすマスク６における一対の垂直部のうち一方の垂直部にはタッチペン１１を着脱可能に収納するペン収納部８が設けられている。
【００１３】
図９（ａ）はタッチペン１１を示す前面図、（ｂ）は同側面図である。タッチペン１１はボールペンやシャープペンシルと同様な形態をなすもので、先端部１１ａはボールペンやシャープペンシルの先端部で芯が突出するのと同様に細くなったペン先１１ｃを有している。この実施の形態では、タッチペン１１は図７に示すように前面が平坦面をなし、後面部は頭部１１ｂに近い上部は厚さが小さくなっている。これはタッチペン１１をペン収納部８に円滑に収納し、且つ円滑に回動して取出し易くするためである。
【００１４】
タッチペン１１の先端部１１ａの上側に隣接した位置に左右一対の係合支点凹部（係合支点部）１２が形成されている。これら一対の係合支点凹部１２はタッチペン１１の長さ方向と厚さ方向の夫々において対向する位置にあり、例えば円形をなす点状の凹部として形成されている。タッチペン１１の前面部には係合支点凹部１２と同じ位置に操作凹部１３が形成されている。タッチペン１１の頭部１１ｂの端面には係合凹部１４が形成されている。
【００１５】
なお、タッチペン１１の頭部１１ｂに形成された紐孔１５は必要に応じて図示しない紐を通すためのもので、この紐はケース４に繋がれる。
【００１６】
次にペン収納部８について図２ないし図８を参照して説明する。図２は表示ユニットにおいてペン収納部を設けた部分を示す前面図、図３および図４はペン収納部を示す図２のＺ−Ｚ線に沿う断面図、図５はペン収納部における係合支点部を示す斜視図、図６はペン収納部における係合支点部を示す図３のＹ−Ｙ線に沿う断面図、図７はペン収納部における受け部を示す図３のＸ−Ｘ線に沿う断面図、図８はペン収納部における係合部材を拡大して示す断面図である。
【００１７】
マスク５の前面部にはペン収納部８を形成するための凹部２２が形成されている。マスク５の凹部２２は上下方向（表示ユニット３を起立した状態）に沿う細長いものであり、この凹部２２の内部に構成部材２１が配置されている。構成部材２１はタッチペン１１より大きい長さを有する細長いものであり、ケース４に形成された突起２３にねじ２４を介して固定されている。
【００１８】
構成部材２１は、表示ユニット３を起立した状態において上下方向に沿う収納空間部３１と、この収納空間部３１の前面を開放して形成されるとともに表示ユニット３を起立した状態において上下方向に沿う開口３２を有している。収納空間部３１は表示ユニット３を起立した状態においてタッチペン１１をその先端部１１ａが下位置、頭部１１ｂが上位置となるように向きを設定して収納するものである。
【００１９】
収納空間部３１はタッチペン１１をその前面を除く他の部分がぴったりと嵌り込むように収納するようになっており、タッチペン１１の長さ、幅および厚さに応じた大きさを有している。開口３２はタッチペン１１を収納空間部３１に対して挿入、取出すためのもので、タッチペン１１の前面の長さおよび幅に応じた大きさを有する細長いものである。すなわち、構成部材２１はタッチペン１１をその前面を除く他の部分がぴったり合う形状の壁部によって空間部３１を形作り、この壁部の周縁部によって開口３２を形作っている。
【００２０】
収納空間部３１の下端部には受け部３３が形成されている。この受け部３３は収納空間部３１に収納されたタッチペン１１の下位置にある一端部、この実施の形態では先端部１１ａを受けるものである。受け部３３は構成部材２１の壁部によって開口３２を覆うことによってタッチペン１１の先端部１１ａを下側から受けて囲むようになっている。収納空間部３１を形成する構成部材２１の壁部は、後述するペン回動用空間部３６を形成するために受け部３３において切欠されている。
【００２１】
図７にも示すようにペン回動用空間部３６に面する受け部３３の下端壁と、この空間部３６に面してマスク５に形成された突起３５に、前後方向（収納空間部３１の内外方向）に沿って受け孔３４ａ、３４ｂが形成されている。この受け孔３４ａ、３４ｂはタッチペン１１のペン先１１ｃを受けるものである。
【００２２】
そして、収納空間部３１の下端部では構成部材２１の壁部が切欠されて、この収納空間部３１の下端部にペン回動用空間部３６が形成されている。ペン回動用空間部３６は収納空間部３１に収納されたタッチペン１１が後述する係合支点部を支点として収納空間部３１の外部へ向けて回動する際に、その回動を可能とするためにタッチペン１１の先端部１１ａを逃がすためのものである。すなわち、ペン回動用空間部３６はタッチペン１１が収納空間部３１に収納された時に、タッチペン１１の先端部１１ａの後側に形成されるもので、構成部材２１の壁部とケース４によって囲まれている。
【００２３】
図５に示すように、構成部材２１のうち受け部３３に隣接した上側の箇所に弾性片３７（弾性部材）が形成されている。この弾性片３７の形成位置はタッチペン１１の係合支点凹部１２に対応しており、後述するようにタッチペン１１の下部が小さい角度で収納空間部３１の外方へ向けて回動できるようにするためである。図５に示すように弾性片３７は、構成部材２１の壁部を幅方向に沿って切欠することにより形成され、収納空間部３１に収納されたタッチペン１１を後側から弾性力で把持するものである。
【００２４】
図６にも示すように弾性片３７はタッチペン１１の後部を囲む円弧形をなし、一端部が構成部材２１に連結されているとともに他端部は自由端となっており、タッチペン１１を幅方向から締め付ける弾性を有している。この弾性片３７における円弧の両端に位置する箇所には夫々係合支点凸部（係合支点部材）３８が互いに向き合って形成されている。この一対の係合支点凸部３８は、収納空間部３１に収納されたタッチペン１１の両側部に形成された一対の係合支点凹部（係合支点部材）１２に係合して、弾性片３７の弾性力をタッチペン１１へ加えてタッチペン１１を押えるとともにタッチペン１１を枢支するものである。
【００２５】
すなわち、一対の係合支点凸部３８と一対の係合支点凹部１２とは、タッチペン１１を収納空間部３１に収納して保持する位置と開口３２を介して収納空間部３１の外部へ傾く位置との間を回動するように支持する支点を形成する。一対の係合支点凸部３８の間隔は、タッチペン１１を収納空間部３１に収納していない時にはタッチペン１１の幅より小さくなるように設定されている。
【００２６】
このように弾性片３７、係合支点凸部３８および係合支点凹部１２で係合支点部３９を構成する。すなわち、係合支点部３９は収納空間部３１に収納されたタッチペン１１を着脱可能に押えるとともに、タッチペン１１を収納空間部３１に収納する位置と開口３２を介して収納空間部３１の外方へ傾く位置との間を回動するように支持する支点を形成するものである。
【００２７】
図８にも示すように収納空間部３１の上端部にはばね材からなる係合部材４０が設けられている。この係合部材４０は係合部４０ａと取付け部４０ｂを有している。係合部４０ａは、収納空間部３１に収納されたタッチペン１１の頭部１１ｂに形成された係合凹部１４に弾性力で係脱可能に係合するものである。
【００２８】
取付け部４０ｂは位置決め孔４１を有している。この取付け部４０ｂは、構成部材２１の壁部に当接されるとともに位置決め孔４１が構成部材２１に形成された位置決め突起４２に係合することにより位置決め保持されている。また、取付け部４０ｂはケース４に形成された押え突起４３により押えられている。
【００２９】
そして、タッチペン１１をペン収納部８に収納する場合には、図４に示すように先端部１１ａを下位置にしてタッチペン１１を傾けながら開口３２を通して収納空間部３１の内部に下降しながら挿入する。そして、タッチペン１１の先端部１１ａを受け部３３に上側から挿入し、図４に示すようにペン先１１ｃをマスク５に形成した受け孔３４ｂに挿入する。
【００３０】
タッチペン１１の先端部１１ａを下降して受け部３３に挿入すると、先端部１１ａの上側の部分が受け部３３の上側に設けられた弾性片３７に嵌り込み、タッチペン１１に形成された係合支点凹部１２が弾性片３７に形成された係合支点凸部３８に係合する。
【００３１】
すなわち、はじめにタッチペン１１の先端部１１ａの両側部表面が弾性片３７の係合支点凸部３８に当り、次いで先端部１１ａの後部が弾性片３７を押し広げながら弾性片３７の内側に嵌り込み、係合支点凹部１２が係合支点凸部３８に対向すると、弾性片３７が弾性力で復元して係合支点凸部３８を係合支点凹部１２に押込んで係合させる。この状態でタッチペン１１は図４に示すように係合支点凸部３８および係合支点凹部１２より上側となる上部が収納空間部３１の外部に位置する。
【００３２】
ここで、弾性片３７の係合支点凸部３８は収納空間部３１の内部にあるタッチペン１１を押えて保持する。係合支点凸部３８と係合支点凹部１２は互いに係合して、タッチペン１１が収納空間部３１の内部に保持する位置と収納空間部３１の外部の位置との間を回動する時の支点を構成する。
【００３３】
タッチペン１１の上部に対して収納空間部３１の内部へ向けた力を加えると、タッチペン１１は係合支点凸部３８と係合支点凹部１２を支点としてＡ方向へ回動して上部が収納空間部３１の内部に入る。この時、タッチペン１１のペン先１１ｃは構成部材２１に形成した長孔３４ａに移動する。
【００３４】
これにより図３に示すようにタッチペン１１全体が収納空間部３１の内部に入る。タッチペン１１の平坦面である前面部は開口３２を塞いでマスク５の前面と同一平面を構成する。
【００３５】
また、タッチペン１１の頭部１１ｂに形成した係合凹部１４には、収納空間部３１の上端部に設けた係合部材４０の係合部４０ａが弾性により係合する。このため、係合部材４０は収納空間部３１に収納されたタッチペン１１の頭部１１ｂを保持してタッチペン１１の収納を確実なものにする。
【００３６】
このようにしてタッチペン１１を収納空間部３１に収納する。ここで、受け部３３はタッチペン１１を収納空間部３１に挿入する時および収納空間部３１に収納した時に，タッチペン１１の先端部１１ａを受けてタッチペン１１の挿入および収納を安定させることができる。
【００３７】
受け部３３はタッチペン１１のペン先１１ｃを受け孔３４ａ，３４ｂで支持するのでより一層先端部１１ａを安定して受けることができる。特に受け孔３４ａ，３４ｂは長孔に形成されているので、タッチペン１１の回動に伴いペン先１１ｃが移動してもペン先１１ｃを常に受けることができる。
【００３８】
次にタッチペン１１をペン収納部８の収納空間部３１に収納した状態から取出す場合には、タッチペン１１の前面部に形成された操作凹部１３を指で押して収納空間部３１の内部へ向けた力を加える。操作凹部１３は係合支点凸部３８と係合支点凹部１２よりやや下側に位置するので、力は係合支点凸部３８と係合支点凹部１２より下側となる先端部１１ａに加わる。力を受けたタッチペン１１は、係合支点凸部３８と係合支点凹部１２を支点として図４に示すように収納空間部３１に収納した位置からＢ方向へ回動する。
【００３９】
タッチペン１１を収納空間部３１に収納した状態では、タッチペン１１の先端部１１ａの後側にペン回動用空間部３６が形成されている。このため、タッチペン１１における係合支点凸部３８と係合支点凹部１２より下側となる先端部１１ａは、後側のペン回動用空間部３６に入り込むように移動することが可能である。すなわち、タッチペン１１の先端部１１ａが収納空間部３１の内部へ向けて回動することが可能となる。これによりタッチペン１１は、係合支点凸部３８と係合支点凹部１２を支点として図４のＢ方向へ回動する。
【００４０】
ここで、タッチペン１１は係合支点凸部３８と係合支点凹部１２を支点として回動するのみで、係合支点凸部３８と係合支点凹部１２との係合が外れることがない。すなわち、係合支点凸部３８と係合支点凹部１２は互いの係合を維持して、タッチペン１１の回動を可能とするとともにタッチペン１１を押えた状態を維持している。
【００４１】
従って、タッチペン１１に力を加えてタッチペン１１を回動させても、係合支点凸部３８と係合支点凹部１２の係合が外れることはなく、タッチペン１１の保持を維持できる。この結果、タッチペン１１に力を加えて回動させてもタッチペン１１が収納空間部３１から飛び出ることはない。
【００４２】
なお、タッチペン１１の回動により、頭部１１ｂの係合凹部１４が係合部材４０の係合部４０ａから外れる。
【００４３】
そして、タッチペン１１の回動により係合支点凸部３８と係合支点凹部１２より上側の上部は収納空間部３１の外方へ移動する。図４に示すようにタッチペン１１のペン先１１ｃが受け孔３４ａから受け孔３４ｂに移動して受け孔３４ｂの縁部に当接する。このため、タッチペン１１の回動が規制されて停止する。
【００４４】
次いで、タッチペン１１の上部を持って収納空間部３１の外方へ向けて引くと、タッチペン１１の係合支点凹部１２が弾性片３７の係合支点凸部３８から外れ、さらにタッチペン１１が弾性片３７から外れる。また、タッチペン１１の先端部１１ａが収納空間部３１の受け部３３から外れるとともに、ペン先１１ｃが受け孔３４ｂから外れる。このため、タッチペン１１は収納空間部３１から抜け出る。
【００４５】
このようにしてタッチペン１１をペン収納部８から取出す。この場合、前述したように操作者が指でタッチペン１１を押しても、その反動でタッチペン１１がペン収納部８の外方へ向けて回動してペン収納部８から飛び出すことがない。このため、タッチペン１１をペン収納部８から取出す操作を行う時の操作性が大変良好である。
【００４６】
なお、本発明は前述した実施の形態に限定されず、種々変形して実施することができる。例えば本発明はノート型パソコンのみならず、タッチペンを収納する収納部を有する電子機器に広く適用できる。
【００４７】
【発明の効果】
以上詳述した本発明によれば、タッチペンがペン収納部から飛び出すのを防止でき、タッチペンを取り出す際の操作性を高めることができる。
【図面の簡単な説明】
【図１】本発明の一実施の形態におけるパソコンの外観を示す斜視図。
【図２】同実施の形態におけるペン収納部を設けた部分を示す平面図。
【図３】同実施の形態におけるペン収納部を示す断面図。
【図４】同実施の形態におけるペン収納部を示す断面図。
【図５】同実施の形態のペン収納部における係合支点部を示す斜視図。
【図６】同実施の形態のペン収納部における係合支点部を示す断面図。
【図７】同実施の形態のペン収納部における受け部を示す断面図。
【図８】同実施の形態のペン収納部に設ける係合部材を示す断面図。
【図９】同実施の形態におけるタッチペンを示す図。
【符号の説明】
１…パソコン本体
３…表示ユニット
４…ケース（機器本体）
５…マスク（機器本体）
７…入力装置（ペン入力部）
８…ペン収納部
１１…タッチペン
１２…係合支点凹部
２２…構成部材
３１…収納空間部
３６…ペン回動用空間部
３７…弾性片
３８…係合支点凸部
３９…係合支点部
４０…係合部材
【図１】
0003665627.tif 000002
【図２】
0003665627.tif 000003
【図３】
0003665627.tif 000004
【図４】
0003665627.tif 000005
【図５】
0003665627.tif 000006
【図６】
0003665627.tif 000007
【図７】
0003665627.tif 000008
【図８】
0003665627.tif 000009
【図９】
0003665627.tif 000010